(57)【要約】      （修正有）【課題】概算的な推定データの使用を原因とする固有誤差による悪影響を受けない、体重を調整するための方法と装置を提案する。【解決手段】ユーザの体重を調整する装置であって、ユーザの少なくとも１つの身体的特徴を測定して体重信号７に符号化するための測定手段２と、体重信号７を処理するための、測定手段２と通信しているコンピュータ化制御ユニット８と、コンピュータ化制御ユニット８によって設定されることが好ましい複数の表示を表示するための、コンピュータ化制御ユニット８と通信している表示手段９とを備え、さらに、関連した身体的特徴を調整するためにユーザによって使用されることが可能なエネルギー量を計算する手段２３も備える。【選択図】図２
2007226775.tif 000002
【特許請求の範囲】
【請求項１】
ユーザの体重を調整する装置であって、ユーザの少なくとも１つの身体的特徴を測定して体重信号（７）に符号化するための測定手段（２）と、前記体重信号（７）を処理するための、前記測定手段（２）と通信しているコンピュータ化制御ユニット（８）と、前記コンピュータ化制御ユニット（８）によって設定されることが好ましい複数の表示を表示するための、前記コンピュータ化制御ユニット（８）と通信している表示手段（９）と、を備える装置において、前記身体的特徴を調整するためにユーザによって使用されることが可能なエネルギー量を計算する手段（２３）を備え、前記身体的特徴が体重であることが好ましいことを特徴とする装置。
【請求項２】
使用されることが可能な前記エネルギー量は、予め決められた時間期間中にユーザによって普通に摂取されるエネルギー量に比較して、どれだけより多くのまたはより少ないエネルギーが摂取または消費されることが可能であるかとして表現されることを特徴とする、請求項１に記載の装置。
【請求項３】
前記コンピュータ化制御ユニット（８）は、前記身体的特徴の将来値に関係した傾向を設定するために記憶手段（２５）と連携して動作する計算手段（２６）を備え、および、前記記憶手段（２５）と連携して動作する前記計算手段（２６）は、エネルギー量を計算する手段（２３）を備えることを特徴とする、請求項２に記載の装置。
【請求項４】
前記計算手段（２６）は、前記身体的特徴に関する目標値を識別するために前記記憶手段（２５）と連携して動作することを特徴とする、請求項３に記載の装置。
【請求項５】
前記計算手段（２６）は、前記目標体重に到達するための好ましい最終時点（ｔf）を、前記目標値、特に目標体重に割り当てるように設計されていることを特徴とする、請求項４に記載の装置。
【請求項６】
前記計算手段（２６）は、装置使用の一般的な時点（ｔ0）における前記身体的特徴の値と前記目標値との間の前記身体的特徴の複数の中間値を設定するように設計されていることを特徴とする、請求項５に記載の装置。
【請求項７】
前記計算手段（２６）は、前記身体的特徴の目標値と、特に前記最終時点（ｔf）において測定された前記身体的特徴の値との間の偏差を、各時点において計算するように設計されていることを特徴とする、請求項５または請求項６に記載の装置。
【請求項８】
前記偏差は、エネルギー量を計算する前記手段（２３）によって処理されることを特徴とする、請求項７に記載の装置。
【請求項９】
エネルギー量を計算する前記手段（２３）は、変換係数を使用して前記偏差をエネルギー量に変換するように設計されており、および、前記エネルギー量は、前記予め決められた時間期間中にユーザによって普通に摂取されるエネルギー量に比較してどれだけより多くのまたはより少ないエネルギーが摂取または消費されなければならないかの表現であることを特徴とする、請求項８に記載の装置。
【請求項１０】
前記計算手段（２６）は、前記偏差に前記変換係数を乗算するように設計されていることを特徴とする、請求項９に記載の装置。
【請求項１１】
前記変換係数は７０００カロリー／Ｋｇであり、前記エネルギー量はカロリー単位で表現されることが好ましいことを特徴とする、請求項１０に記載の装置。
【請求項１２】
前記計算手段（２６）は、前記身体的特徴が前記目標値に達するように最適の活動を識別するために前記記憶手段（２５）と連携して動作し、および、前記記憶手段（２５）内には、予め決められたエネルギー使用レベルと共に、好ましくは身体的活動である複数の活動または食品がカタログ化されていることを特徴とする、請求項３から請求項１１までのいずれか一項に記載の装置。
【請求項１３】
前記計算手段（２６）は、前記目標値に達するための前記最適な活動を表示する前記表示手段（９）と通信していることを特徴とする、請求項１２に記載の装置。
【請求項１４】
前記測定手段（２）はユーザの体重を測定する手段（３）を備えることを特徴とする、請求項１から請求項１３までのいずれか一項に記載の装置。
【請求項１５】
前記測定手段（２）はユーザの体脂肪量を測定する手段（４）を備えることを特徴とする、請求項１から請求項１４までのいずれか一項に記載の装置。
【請求項１６】
前記測定手段（２）はユーザの除脂肪体重を測定する手段（５）を備えることを特徴とする、請求項１から請求項１５までのいずれか一項に記載の装置。
【請求項１７】
前記測定手段（２）はユーザの体内の体液率を測定する手段（６）を備えることを特徴とする、請求項１から請求項１６までのいずれか一項に記載の装置。
【請求項１８】
前記制御ユニット（８）は、前記体重信号（７）干渉因子を排除するために前記体重信号（７）を調整する手段（１０）を備えることを特徴とする、請求項１から請求項１７までのいずれか一項に記載の装置。
【請求項１９】
前記体重信号（７）調整手段（１０）は、ユーザの体重に関係したデータを記憶する手段（１１）と連携して動作することを特徴とする、請求項１８に記載の装置。
【請求項２０】
前記記憶手段（１１）は、前記干渉因子に関係したデータをサンプル化することを特徴とする、請求項１９に記載の装置。
【請求項２１】
前記記憶手段（２５）は、前記干渉因子を含まないことが好ましい複数のユーザ体重値を含むことを特徴とする、請求項３に記載の装置。
【請求項２２】
前記傾向は線形であることを特徴とする、請求項３に記載の装置。
【請求項２３】
前記傾向は指数関数であることを特徴とする、請求項３に記載の装置。
【請求項２４】
前記記憶手段（２５）は複数のユーザ生理学的特徴を保存することを特徴とする、請求項１から請求項２３までのいずれか一項に記載の装置。
【請求項２５】
前記生理学的特徴はユーザの年齢を含むことを特徴とする、請求項２４に記載の装置。
【請求項２６】
前記生理学的特徴はユーザの身長を含むことを特徴とする、請求項２４または請求項２５に記載の装置。
【請求項２７】
前記生理学的特徴はユーザの性別を含むことを特徴とする、請求項２４から請求項２６までのいずれか一項に記載の装置。
【請求項２８】
前記生理学的特徴はユーザの胴回り寸法測定値を含むことを特徴とする、請求項２４から請求項２７までのいずれか一項に記載の装置。
【請求項２９】
前記生理学的特徴は、前記測定手段（２）によって測定された生理学的特徴と統合されることを特徴とする、請求項２４から請求項２８までのいずれか一項に記載の装置。
【請求項３０】
人間の少なくとも１つの身体的特徴、特に体重を測定する段階と、それを体重信号の形に符号化する段階と、を含む、人間の体重を調整する方法において、時間の経過に応じた前記身体的特徴に関する傾向を推定し、前記身体的特徴に関する、適切な時点における、少なくとも１つの目標値を設定し、前記時点における対応する推定値からの前記目標値の偏差を計算し、および、前記偏差を減少させるために行われるべき少なくとも１つの活動の形に前記偏差を翻訳する段階、を含むことを特徴とする方法。
【請求項３１】
予め決められた時間期間中にユーザによって普通に摂取されるエネルギー量に比較して摂取または消費されるべきどれだけより多いかまたはより少ないであるエネルギー量を計算する段階を含み、および、行われるべき前記活動が、前記予め決められた時間期間中にユーザによって普通に摂取されるエネルギー量に比較して摂取または消費されるべきどれだけより多いかまたはより少ないであるエネルギー量に応じて設定されることが好ましいことを特徴とする、請求項２７に記載の方法。
【請求項３２】
前記目標値に達するための経路を設定するために、前記身体的特徴の中間的な目標値を設定する段階を含むことを特徴とする、請求項３０または請求項３１に記載の方法。
【請求項３３】
好ましくは体重である前記身体的特徴の測定値を、人間の体内に含まれる除脂肪体重または体脂肪量の測定値と統合する段階を含むことを特徴とする、請求項３０から請求項３２までのいずれか一項に記載の方法。
【請求項３４】
好ましくは体重である前記身体的特徴の測定値を、人間の体内の体液率の測定値と統合する段階を含むことを特徴とする、請求項３０から請求項３３までのいずれか一項に記載の方法。
【請求項３５】
あらゆる干渉因子を取り除くために前記体重信号をフィルタする段階を含むことを特徴とする、請求項３０から請求項３４までのいずれか一項に記載の方法。
【請求項３６】
前記偏差を、エネルギー変動、特にカロリーの形に翻訳する段階を含むことを特徴とする、請求項３０から請求項３５までのいずれか一項に記載の方法。
【請求項３７】
前記エネルギー変動に応じた前記活動の重み付けられたリストを人間に提供する段階を含むことを特徴とする、請求項３０から請求項３５までのいずれか一項に記載の方法。
【発明の詳細な説明】
【技術分野】
【０００１】
本発明は、個人の健康状態の実現と維持に関する情報を処理するための、特に、体重を調整するための装置および方法に関する。
【０００２】
本発明は、特に、改良された体重計の分野に関する。
【背景技術】
【０００３】
体重を測定するという通常の機能を果たすことに加えて、ユーザの身体的状態と新陳代謝とに関連した複数の情報項目を一般ユーザに提供するように設計されている複数の装置と統合されている様々なタイプの体重計が公知である。
【０００４】
例えば、予め決められた体重を維持するために、または、この予め決められた体重に達するために消費されるべきカロリー数を推定することが可能な従来技術の体重計が存在している。
【０００５】
他のタイプの体重計が、基本代謝に基づいた予め決められた体重を維持するかまたはこの予め決められた体重に達するために必要なエネルギー消費を計算するように設計されている装置を有する。
【０００６】
予め決められた時間間隔における体重の変動、または、時間の経過に応じた身体組成（除脂肪体重、体脂肪量、体液率（percentage of liquids）等）の変化を、例えばパーソナルコンピュータのような適切に接続された外部インタフェースを使用して保存し表示する従来技術の体重計も存在する。
【０００７】
従来技術のタイプの体重計は幾つかの欠点を有する。
【０００８】
特に、従来技術の体重計は、最適の身体条件を実現することを促進することが可能なライフスタイルを計画するための有効な援助をユーザに提供しない。
【０００９】
特に、従来タイプの体重調整装置、すなわち、体重計は、固有誤差を原因とする悪影響を受ける推定データに基づいて、摂取または消費されるべき毎日のカロリー合計値を提供する。
【００１０】
例えば、個人によって消費されるカロリーを計算するために、基本代謝が基準とされることが多い。この方法と、したがって、この方法を使用して動作する装置とが、基本代謝によるエネルギー消費量が実質的に概算なので、ユーザに供給される、摂取／消費されるべきカロリーの表示を補正する可能性なしに、日ごとに累積する誤差によって悪影響を与えられる。
【００１１】
例えば、基本代謝の推定における超過量の誤差が、ユーザに許容されている毎日のカロリー摂取量の過大評価を結果的に生じさせ、このことが、その装置が誤りを発見することなしに、予め決められた期間全体にわたる過剰カロリーの累積と体重増大とを引き起こす。
【発明の開示】
【発明が解決しようとする課題】
【００１２】
したがって、本発明の主要な技術的な目的は、上述の欠点が無い、体重を調整するための改良された装置を提案することである。
【００１３】
本発明は、概算的な推定データの使用を原因とする固有誤差による悪影響を受けない、体重を調整するための方法と装置を提案することを目的とする。
【００１４】
本発明は、さらに、一般ユーザのライフスタイルを最適化するための一般ユーザに対する有効な援助である装置と方法とを提案することを目的とする。
【００１５】
本発明は、さらに、ユーザが自分自身の体重を実質的に調整するための差別化された示唆をユーザに提供することが可能な装置を提案することを、さらに別の目的とする。
【００１６】
本発明のさらに別の特徴と利点とが、添付図面に示されている体重計の好ましい非限定的な実施形態を参照することによって、以下の詳細な説明において、より明らかである。
【発明を実施するための最良の形態】
【００１７】
添付図面を参照し、および、特に図１を参照して、番号１が本発明による体重調整装置を示す。
【００１８】
後述する装置１が、一般ユーザの複数の身体的特徴を調整するように設計されていることが留意されるべきである。特に、ユーザが装置１を体重計として構成することが可能なので、装置１がユーザの体重を調整することを意図されていることが好ましい。
【００１９】
装置１は、一般ユーザの複数の身体的特徴を測定するための測定手段（図示されていない）を備え、この測定手段はブロック２で概略的に示されている。
【００２０】
図２に示されているように、複数の身体的特徴を測定する手段２は、ブロック３によって概略的に示されている、実質的に既知のタイプのユーザの体重を測定する手段を備えることが好ましい。
【００２１】
複数の身体的特徴を測定する手段２は、ブロック４で概略的に示されている、実質的に既知のタイプの、ユーザの体脂肪量を測定する手段を備えることが好ましい。
【００２２】
体脂肪量はユーザの体重のパーセンテージとして定義されることが好ましい。
【００２３】
複数の身体的特徴を測定する手段２は、ブロック５で概略的に示されている、実質的に既知のタイプの、ユーザの除脂肪体重を測定する手段を備えることが好ましい。
【００２４】
この除脂肪体重はユーザの体重のパーセンテージとして定義されることが好ましい。
【００２５】
複数の身体的特徴を測定する手段２は、ブロック６で概略的に示されている、実質的に既知のタイプの、ユーザの体内の体液率を測定する手段を備えることが好ましい。
【００２６】
測定手段２は、手段２によって測定されたユーザの身体的特徴に応じて生成された、好ましくはディジタル形式である信号７（この説明では簡略化のために体重信号と呼ばれている）を出力において供給する。
【００２７】
体重信号７は、より詳細に後述されているコンピュータ化制御ユニット８に入力において供給される。
【００２８】
表示装置９が、体重または測定されたその他のあらゆる身体的特徴を含む、複数の表示をユーザに供給するために、ユニット８に関連付けられている。
【００２９】
有利であることに、図示されていない別の実施形態では、表示装置９は、目視のための、または、ユーザとの通信のための任意の他の手段によって置き換えられている。
【００３０】
上記の表示は、さらに、体重信号７に応じてユニット８によって得られるか計算される表示を含むことが好ましい。
【００３１】
図１に点線で示されているように、表示装置９は、測定手段２と表示装置９との間に挿入されたユニット８無しに上記特徴を表示するために、測定手段２と直接的に通信してもよい。
【００３２】
図２に示されているように、ユニット８は、ユーザのための上記表示を設定するために互いに通信し合う、実質的に公知のタイプである複数の電子構成要素を備える。
【００３３】
ブロック１０で概略的に示されている第１の計算センタすなわち調整センタが、入力において体重信号７を受け取り、および、実質的に公知の仕方でそれをクリーンにし、あらゆる干渉因子（interference factor）を取り除く。
【００３４】
さらに明確に述べると、この第１の計算センタ１０は、ユーザの体重に関連した複数のデータが中に保存されている、ブロック１１で概略的に示されている第１の記憶装置すなわち第１の記憶セルと通信している。
【００３５】
この第１の記憶装置内には、干渉因子に関係した複数のデータもサンプル化すなわち保存されている。
【００３６】
ユーザの体重に関係したデータは、先行の予め決められた時間期間中に測定された体重の平均を含む。
【００３７】
この平均が移動平均であることが好ましい。
【００３８】
この移動平均は指数移動平均であることが好ましい。
【００３９】
ユーザの体重に関係したデータが任意の適切な形態で保存されることが可能であることが有利である。
【００４０】
干渉因子に関係した上記データは、ユーザの水分貯留および／またはユーザの体脂肪量に関係した情報を含むことが好ましい。
【００４１】
ユーザの水分貯留に関係した情報が、体液率を測定するために手段６によって身体内で測定される体液率によって補間されることが有利である。
【００４２】
干渉因子に関係したデータがユーザ衣類サンプリング（user clothing sampling）に関係していることが好ましい。
【００４３】
干渉因子に関係したデータが、体重および他の身体的特徴が測定される時に、例えば正時のような１日の時刻に関係していることが好ましい。
【００４４】
第１の記憶装置１１は、ユーザの体重の測定値に干渉することがあるあらゆる推奨された干渉因子に関するデータと情報とを保存することが可能であることが有利である。
【００４５】
したがって、実質的に減衰および減少させられる干渉因子を原因としたいわゆる「ノイズ」がクリーニングされた、体重と体脂肪量と除脂肪体重とに依存していることが好ましい信号１２を、コンピュータ化された制御ユニット８が第１の計算センタ１０からの出力において有するということが理解されるべきである。
【００４６】
ブロック１３で概略的に示されている第２の計算センタが、無ノイズの信号１２を入力で受け取る。
【００４７】
上記計算センタ１３は、ユーザの体重に関係した複数のデータが中に保存またはサンプル化されている、ブロック１４で概略的に示されている第２の記憶装置すなわち第２の記憶セルと通信している。
【００４８】
先行の測定の最中に計算された、特に上述のノイズが無い複数のユーザ体重値が、記憶装置１４中に保存されていることが好ましい。
【００４９】
保存されているデータで無ノイズの信号１２を補間する計算センタ１３は、ユーザ体重の将来値に関係した傾向を設定する。
【００５０】
実際には、時間の経過に応じた体重の傾向が推定される。
【００５１】
この推定された傾向が線形であることが好ましい。
【００５２】
他の実施形態では、この推定された傾向は指数関数である。
【００５３】
特に、ブロック１３は、最終時点（final moment）ｔfにおける推定体重値１００を設定し、この場合に、この術語「時点（moment）」が観察期間の終点として選択された１日を意味することが好ましい。
【００５４】
ブロック１３からの出力において、ユニット８は、ユーザ体重の将来値に関係した信号１５を有する。
【００５５】
ブロック１６で概略的に示されている第３の計算センタが、ユーザに関する適切な目標体重を識別するために、入力において信号１５を受け取る。
【００５６】
さらに詳細に述べると、計算センタ１６は、複数のユーザ生理学的特徴が中に保存またはサンプル化されている、ブロック１７で概略的に示されている第３の記憶装置すなわち第３の記憶セルと通信している。
【００５７】
記憶装置１７が、ユーザの身長と胴回り寸法測定値と性別と年齢と身体的活動のタイプとのようなデータを、ユーザに関係したあらゆる他の適切なデータ項目と共に収容することが好ましい。
【００５８】
上記データが、測定手段２によって測定された測定値から得られることが好ましい、体脂肪量のような特徴と統合されることが好ましい。
【００５９】
生理学的特徴で信号１５を補間する計算センタ１６は、予め決められた時間内に到達されることが好ましい、すなわち、最終時点ｔfまでに到達されることが好ましい、ユーザの心身の健康状態のために最適であるユーザ体重値（簡略化のために目標体重１０１と呼ばれている）を設定する。
【００６０】
上述の方法を使用することによって、計算センタ１６が、現在体重と目標体重との間の複数の中間的なユーザ体重値を設定し、すなわち、最終時点ｔfにおいて目標体重に到達するための経路中の複数の中間段階を設定することが好ましい。
【００６１】
実際には、センタ１６は、ブロック１３で設定された傾向から、および、目標体重１０１によって、おそらくは異なる時間にわたって、特に最終時点において、適切でありかつ有利なユーザ体重傾向を設定する。
【００６２】
装置１が事前に設定または計算された目標体重をすでに有してはいない場合には、装置１が目標体重１０１を計算するということを理解することが重要である。
【００６３】
実際には、最終時点ｔfに達するまでこの目標体重が一定不変のままであることが好ましい。
【００６４】
ブロック１８で概略的に示されている第４の計算センタが、目標体重値１０１と、体重の傾向を設定する時に計算すなわち予想された最終体重値１００との間の差を計算する。
【００６５】
したがって、ブロック１８は、特に最終時点ｔfにおいて、偏差としても知られている、目標体重と推定体重との間の差に関係した情報をサポートする差信号１９を出力において供給する。
【００６６】
計算センタ１８が、さらに、中間の目標値と、対応する時間における傾向において計算された対応する中間値との間の差を計算するようにも設計されているということが理解されるべきである。簡単に説明すると、最終時点ｔfにおける、目標体重１０１と推定体重１００との間の差が参照される。
【００６７】
したがって、ブロック１８は、入力において、目標体重値１０１と、好ましくはブロック１６からの傾向から推定された体重値１００、または、直接的には点線で示されている線２０によって計算センタ１８と通信している第２の計算センタ１３からの傾向から推定された体重値１００とを受け取り、および、差信号１９を出力において供給する。
【００６８】
目標体重に到達するためにユーザが摂取または消費しなければならないエネルギーを計算するために、信号１９は入力において手段２１に供給される。
【００６９】
設定されたエネルギー量が、手段２１によって時間の分数で除算されることが好ましく、すなわち、目標体重に到達するために例えば１日で、１週間で、または、任意の好ましい時間期間中に摂取または消費されるべきエネルギー量が計算される。
【００７０】
エネルギー計算のための手段２１は、先行の基準期間に比較してユーザがどれだけより多くのまたはより少ないエネルギーを摂取または消費しなければならないかに実質的に相当するエネルギーのデルタ（Δ）の表現である信号２２を生成する。
【００７１】
言い換えると、このエネルギーのデルタは、ブロック１４に保存された複数の体重値と、ブロック１７に保存されたユーザの生理学的特徴とによって重み付けられた、ユーザによって消費される実際のエネルギーに応じて計算される。
【００７２】
摂取または消費されるべきエネルギーのデルタの表現である信号２２が、先行の秤量に依存しており、および、したがって、例えば基本代謝のような、消費エネルギーの実験的な推定値を原因とした誤差によっては影響されないので、この信号２２は、ユーザによって消費された実際のエネルギーに実質的に依存するということが理解されるべきである。
【００７３】
この先行の秤量は、特に、基本代謝と身体活動と排出された有機物材料との表現である。
【００７４】
さらに明確に、および、例示的に述べると、装置１が使用される時点ｔ0に関して、計算手段２１によって設定されたエネルギー量は、最終時点ｔｆから使用時点ｔ0を隔てる日数で割り算される。
【００７５】
特に、図３は、装置１の補間のグラフの一例を示し、このグラフでは、ｔ0とｔfは上述の意味を有し、１０１は目標体重であり、１００は時点ｔfにおける推定ユーザ体重であり、一方、Ｔ１とＴ２は、計算センタ１３によって推定された、第１の傾向が指数であり、第２の傾向が線形である、２つの異なる例示的な傾向であり、この場合に、ΔＴ１とΔＴ２が、例示されている２つの傾向における目標体重１０１と推定体重１００との間の偏差である。
【００７６】
傾向Ｔ１、Ｔ２で推定される最終体重値１００が目標体重よりも大きくても小さくてもよいということが理解されるべきである。
【００７７】
傾向Ｔ１の場合には、時点ｔfで推定された体重値１００が目標体重１０１よりも小さく、したがって、対応するΔＴ１が正なので、ユーザは、隔たりを埋めるために正のデルタのエネルギーを摂取しなければならず、すなわち、ユーザは、時点ｔ0までに通常摂取されるエネルギーよりも多くのエネルギーを摂取しなければならない。
【００７８】
これとは反対に、傾向Ｔ２の場合には、時点ｔfで推定された体重値１００は、目標体重１０１よりも大きく、および、したがって、対応するΔＴ２が負なので、対応する隔たりを減少させるためには、ユーザはエネルギーを消費しなければならず、すなわち、減量しなければならない。特に、負のΔＴ２の場合には、ユーザは、一般的に時点ｔ0までに消費されるエネルギーよりも多くのエネルギーを消費しなければならない。
【００７９】
上記のエネルギー量がカロリー単位で計算されることが好ましい。
【００８０】
ユーザが摂取しなければならないエネルギーのデルタが計算される時には、手段２１が、適切な変換係数を差信号１９に乗算することが好ましい。
【００８１】
この変換係数が、実験で観察されたように、７０００カロリー／ｋｇに相当することが好ましい。
【００８２】
信号２２は、ブロック２３で概略的に示されている第５の計算センタの中に入力され、この第５の計算センタは、信号２２に応じて、ブロック２４で概略的に示されている第５の記憶セルとインタラクトする。
【００８３】
特に、好ましくは身体活動である複数の活動または食品が、予め決められたエネルギー使用レベルと共に、記憶セル２４の中にカタログ化されている。
【００８４】
目標体重と傾向において推定された体重との間の隔たりを埋めるためのユーザの習慣に比較してユーザがどれほどより多いかまたはより少ないエネルギーを摂取または消費しなければならないかに関して計算されたデルタに基づいて、記憶装置２４に問い合わせるブロック２３が、目標体重に到達するための最適の活動を識別し、すなわち、ユーザにエネルギーのデルタを提供するための、または、ユーザがエネルギーのデルタを取り除くための最適の活動を識別する。
【００８５】
こうした活動は、身体運動と、摂食されるべき食品または摂食されるべきでない食品とを含むことが好ましい。
【００８６】
その次に、ブロック２３によって識別され選択された活動が、表示装置９上に示される。
【００８７】
図１に示されているように、記憶装置１１、１４、１７、２４が、関係した計算センタによって適切に問い合わされるブロック２５（点線で示されている）によって概略的に示されている単一の構成要素の形で構成されていることが有利である。
【００８８】
同様に、計算センタ１０、１３、１６、１８、２３と、エネルギーを計算するための手段２１は、点線で示されているブロック２６で概略的に示されている、チップとして一般的に知られている単一のプロセッサの形に統合されている。
【００８９】
装置１が、ユーザの食品摂食と身体活動とが、測定値が得られた時点ｔ0の以前の予め決められた時間期間（例えば１週間）のそのユーザの食品摂食と身体活動とに比較して変化しない場合に、予め決められた時間期間の経過によって予想されるユーザの体重の表示を設定して、好ましくは表示装置９によってユーザに対して提供することが好ましい。
【００９０】
本発明は、さらに、一般ユーザの体重を調整する方法にも関する。
【００９１】
この方法は、ユーザの身体状態に関係する少なくとも１つの量を測定する段階を含む。
【００９２】
ユーザの体重が定期的に測定されることが好ましい。
【００９３】
有利には、体重測定値が、除脂肪体重、体脂肪量、体内の体液率、身体活動のタイプ、胴回り寸法測定値、および、ユーザの性別という測定値と統合されてもよい。
【００９４】
得られたこれらの値は、例えば水分貯留、衣服のタイプ、または、測定値が得られる時刻を原因とした、あらゆる干渉をクリーンにされる。
【００９５】
その次に、ユーザの体重傾向が、実質的に測定体重と「クリーンにされた」体重とに応じて計算される。
【００９６】
特に、上記傾向が最終値を有し、すなわち、体重調整が終了される一般的な最終時点ｔfに対応する最終値を有する。
【００９７】
得られた傾向とユーザの生理学的特徴とに基づいて、ユーザの良好な健康を促進する最適目標体重が設定される。
【００９８】
さらに、目標体重に到達する経路を決定するために、考慮された体重測定時点と最終時点との間の中間体重を推定することが可能であることが好ましい。
【００９９】
したがって、２つの体重傾向、すなわち、測定値に基づいて推定された体重傾向と、所望の最終目標体重に基づいて計算されることが好ましい体重傾向とが存在する。
【０１００】
したがって、考慮された時点における対応する目標体重からの実際体重の偏差を、時点毎に、または、周単位ではなく一日単位で計算することが可能である。
【０１０１】
この偏差は、通常摂取されるエネルギー量とユーザによって摂取または消費されるべきエネルギーとを最終時点において実質的に一致させるために、すなわち、目標体重に到達するために、先行の観察期間に比較した、すなわち、通常摂取されるエネルギー量に比較した、ユーザによって摂取または消費されるべきエネルギーのデルタの形に変換される。
【０１０２】
上述したように、このエネルギーが、ユーザが摂取または消費しなければならないカロリーの形であることが好ましい。
【０１０３】
上記のエネルギーのデルタに応じて、ユーザは、測定時点ｔ0までに行われる身体活動に加えて、行うべき他の身体活動の重み付けられたリスト、または、消費または摂取されるべきカロリーのデルタに対応するユーザが回避または摂食しなければならない食品のリストを提供される。
【０１０４】
上述した本発明は重要な利点をもたらす。
【０１０５】
本発明は、適切に設定された体重目標と体脂肪量目標とに達するために、測定に先行した期間中に摂取または消費されるエネルギーに比較した、摂取または消費されなければならないエネルギーのデルタを正確に提供する。
【０１０６】
本発明は、体重（および、体脂肪量と除脂肪体重と体液率とのような他の多くのパラメータ）が監視および調整されることを可能にし、および、ユーザさえにもよる容易な補間と診察とのための体重および他の多くのパラメータのサンプル化を可能にする。
【０１０７】
この装置は、健康な身体的健康状態の標識としての目標体重にユーザが到達することを補助し、したがって、ユーザのライフスタイルに関する表示を提供する。
【０１０８】
上述した本発明は明確な工業的用途を有し、および、本発明の着想の範囲から逸脱することなしに幾つかの仕方で変更または適合化されるだろう。さらに、本発明の詳細事項のすべてが技術的に等価である要素によって置き換えられてもよい。
【図面の簡単な説明】
【０１０９】
【図１】図１は、本発明による装置の機能ブロック図の形のアセンブリ図である。
【図２】図２は、第２の実施形態における、図１の発明の幾つかの特徴的な構成要素を更に詳細に示すブロック図である。
【図３】図３は、本発明による装置の好ましい動作方法の例示的な概略図である。
【符号の説明】
【０１１０】
１    体重調整装置
２    複数の身体的特徴を測定する手段
７    体重信号
８    コンピュータ化された制御ユニット
９    表示装置
１０    第１の計算センタ
１１    第１の記憶装置
１２    無ノイズ信号
１３    第２の計算センタ
１４    第２の記憶装置
１５    ユーザの体重の将来値に関係した信号
１６    第３の計算センタ
１７    第３の記憶装置
【図１】
2007226775.tif 000003
【図２】
2007226775.tif 000004
【図３】
2007226775.tif 000005
【外国語明細書】
2007226775000001.pdf